(57)【要約】【課題】盤全体の小形コンパクト化、並びに機能ユニットと電源側および負荷側への配線接続がより一層簡単に行えるように配線構造を改良した制御盤を提供する。【解決手段】盤内に複数台の機能ユニット２を横一列に並べて収納し、各機能ユニットをそれぞれ盤内に引き込んだ電源ケーブル７，負荷ケーブル８に配線接続した制御盤において、盤フレーム１の内部に、前面を開放して各機能ユニット２を個別に前方へ引き出し可能に収容する箱形のユニット収納フレーム３を設置した上で、該ユニット収納フレーム３の後面側には左右に並ぶ各機能ユニットに共通な電源側の水平母線５、および各機能ユニットと個々に対応して負荷側端子台６に接続したプラグイン・コネクタのレセプタクルを配置するとともに、各機能ユニットの背面にはユニット収納フレームへの押込み位置で前記水平母線，よびプラグイン・コネクタのレセプタクルに嵌合する電源側，負荷側コンタクトを設け、該コンタクトを介して機能ユニット２を電源側，負荷側に同時接続する。【選択図】        図１
2009189128.tif 000002
【特許請求の範囲】
【請求項１】
盤内に複数台の機能ユニットを横一列に並べて収納し、各機能ユニットをそれぞれ盤内に引き込んだ電源側および負荷側の給電線に配線接続した制御盤において、
盤内に、前面を開放して各機能ユニットを個別に前方へ引き出し可能に収容する箱形のユニット収納フレームを設置した上で、該ユニット収納フレームの後面側には左右に並ぶ各機能ユニットに共通な電源側の水平母線、および各機能ユニットと個々に対応して負荷側端子台に接続したプラグイン・コネクタのレセプタクルを配置するとともに、各機能ユニットの背面にはユニット収納フレームへの押込み位置で前記水平母線，よびプラグイン・コネクタのレセプタクルに嵌合するコンタクトを設けたことを特徴とする制御盤。
【請求項２】
請求項１に記載の制御盤において、各相の水平母線を上下一列に並べてユニット収納フレームの背面側に敷設し、かつ該フレームの背壁には機能ユニットの電源側コンタクトの挿入穴を開口するとともに、水平母線は盤内に敷設した垂直母線を介して電源ケーブルに接続したことを特徴とする制御盤。
【請求項３】
請求項１に記載の制御盤において、負荷側端子台を機能ユニット収納フレームその側部に取付けた上で、該端子台と各機能ユニットに対応するプラグイン・コネクタのレセプタクルとの間を配線したことを特徴とする制御盤。
【発明の詳細な説明】
【技術分野】
【０００１】
本発明は、モータ動力設備などの現場に設置してモータの運転制御，保護，監視を行う制御盤の構成に関する。
【背景技術】
【０００２】
頭記の制御盤は、保護機器としての回路遮断器，制御機器（電磁接触器）、および監視，表示装置を搭載した複数台の機能ユニットを盤内に収容して動力設備の現場に設置して使用するものである。この制御盤として、機能ユニットの配線接続が簡単に行えるようにするために、盤内に上下段に並べて複数台の機能ユニットを引き出し可能に載置するユニット棚（水平方向の仕切板）、および各段のユニット棚に対応して盤内の奥に電源側の分岐母線を敷設するとともに、機能ユニットの背面には前記分岐母線に接続するプラグイン・コネクタを設け、機能ユニットを盤内にセットした際に電源側ケーブルとのプラグイン接続が行えるようにした構成のものが知られている（例えば、特許文献１参照）。
【特許文献１】特開平１１−１６４４１４号公報
【発明の開示】
【発明が解決しようとする課題】
【０００３】
前記の特許文献１に開示されている盤内の配線構造により、機能ユニットの電源側接続が簡単に行える利点があるが、なお配線作業面で次記のような課題が残る。
すなわち、特許文献１では機能ユニットと負荷側との配線について、盤内に引き込んだ多数本の負荷側ケーブルと各機能ユニットとの間を１本ずつ個別に接続するようにしているため、その配線作業，および負荷側ケーブルの始末に手間がかかる問題がある。また、電源側の分岐母線についても、ユニット棚とは分離して盤内に敷設しているために盤内構造が複雑になる。
本発明は上記の点に鑑みなされたものであり、従来の制御盤内における配線構造を見直して盤全体の小形コンパクト化、並びに機能ユニットと電源側および負荷側への配線接続がより一層簡単に行えるように配線構造を改良した制御盤を提供することを目的とする。
【課題を解決するための手段】
【０００４】
上記目的を達成するために、本発明によれば、盤内に複数台の機能ユニットを横一列に並べて収納し、各機能ユニットをそれぞれ盤内に引き込んだ電源側および負荷側の給電線に配線接続した制御盤において、
盤内に、前面を開放して各機能ユニットを個別に前方へ引き出し可能に収容する箱形のユニット収納フレームを設置した上で、該ユニット収納フレームの後面側には左右に並ぶ各機能ユニットに共通な電源側の水平母線、および各機能ユニットと個々に対応して負荷側端子台に接続したプラグイン・コネクタのレセプタクルを配置するとともに、各機能ユニットの背面にはユニット収納フレームへの押込み位置で前記水平母線，よびプラグイン・コネクタのレセプタクルに嵌合するコンタクトを設ける（請求項１）。
また、前記構成の制御盤において、
（１）各相の水平母線を上下一列に並べてユニット収納フレームの背面側に敷設し、かつ該フレームの背壁には機能ユニットの電源側コンタクトの挿入穴を開口するとともに、水平母線は盤内に敷設した垂直母線を介して電源ケーブルに接続する（請求項２）。
（２）負荷側端子台をユニット収納フレームの側部に取付けた上で、各機能ユニットに対応してユニット収納フレームの背壁面に配置したプラグイン・コネクタのレセプタクルと前記の負荷側端子台との間を配線接続する（請求項３）。
【発明の効果】
【０００５】
上記の配線構造によれば、各個の機能ユニットを盤内に設置したユニット収納フレームに前方から押し込みセットするだけの操作で、電源側，および負荷側の給電線との間が同時にプラグイン式のコンタクトを介して接続されるので配線の作業性が大幅に向上する。
また、盤内に設置したユニット収納フレームを活用して、該フレームに各機能ユニットに対応する電源側の水平母線，負荷側端子台，および負荷側端子台に接続したプラグイン・コネクタのレセプタクルを配置したことにより、盤内配線構造のコンパクト化と併せて、組立施工が簡単に行える。
【発明を実施するための最良の形態】
【０００６】
以下、本発明の実施の形態を図１〜図６に示す実施例に基づいて説明する。なお、図１は制御盤の盤内配置を示す正面図、図２は図１の平面図、図３（ａ），（ｂ）はそれぞれ図１の左側面図，および右側面図、図４（ａ），（ｂ）は機能ユニット単独の正面図、および内部構造を表す側面図、図５は複数台の機能ユニットをユニット収納フレームに収容した組立状態の外形斜視図、図６は図５の分解斜視図である。
各図において、１は制御盤（閉鎖盤）の盤フレーム、１ａは制御盤１の前面扉、２は機能ユニット、３は複数台の機能ユニット２を左右に並べて収容するユニット収納フレーム、４は盤内の左端に敷設した電源側の垂直母線、５は各機能ユニット２に共通な電源側の水平母線、６は負荷側端子台、７は盤内に引き込んだ電源ケーブル、８は負荷側接続線（ケーブル）、９は制御端子台である。
次に、前記機能ユニット２の詳細構造を図４（ａ），（ｂ）に示す。図示例の機能ユニット２は、縦長な直方体のユニットケースに回路遮断器２ａ，回路遮断器の操作ハンドル２ｂ，制御変圧器（変流器）２ｃ，電磁接触器２ｄ，表示盤２ｅ，引出ハンドル２ｆ，制御端子２ｇなどを装備し、さらにユニットケースの背面にはプラグイン式の電源側コンタクト２ｈ，および負荷側コンタクト２ｉが上下に振り分けて背後に突き出すよう設けられている。
【０００７】
一方、ユニット収納フレーム３は、図６で示すように前面を開放した箱形ケースになり、その底壁には左右に並ぶ機能ユニット２を個別に引出し可能に案内支持するガイドレール３ａが形成されている。また、該フレームの上部後端側には段部を形成した上で、その背壁の背後には各機能ユニット２に共通な電源側の水平母線５（Ｕ，Ｖ，Ｗの各相に対応した３本の平角バー導体）を上下に並べてフレームに絶縁支持し、さらにフレームの背壁には各相の水平母線５に対応して先記した機能ユニット２の電源側コンタクト２ｈを挿入する窓穴３ｂを開口している。
また、ユニット収納フレーム３の右側側部には負荷側端子台６を組み付けるとともに、フレームの後壁面には機能ユニット２の負荷側コンタクト２ｉに対応して左右に配列したプラグイン・コネクタのレセプタクル６ａが設置されており、このレセプタクル６ａと負荷側端子台６との間に電線が配線されている。
前記のようにユニット収納フレーム３に水平母線５，負荷側端子台６，プラグイン・コネクタのレセプタクル６ａを組み付けた組立状態で、このユニット収納フレーム３を制御盤の盤内中央に設置した上で、水平母線５の一端を盤内の右側に敷設した垂直母線４の上端に結合して盤内に引き込んだ電源ケーブル７に接続する。また、負荷側端子台６には盤内に引き込んだ負荷側ケーブル８を接続する。
【０００８】
この状態で、盤フレーム１の前方から機能ユニット２を個別にユニット収納フレーム３に収容して運転位置に押し込むと、機能ユニット２の電源側コンタクト２ｈ，および負荷側コンタクト２ｉがそれぞれユニット収納フレーム３に配置した水平母線５，およびプラグイン・コネクタのレセプタクル６ａに同時嵌合して接続される。また、保守，点検などに際して機能ユニット２を前方から断路位置に引き出すと、電源側コンタクト２ｈ，および負荷側コンタクト２ｉが水平母線５，レセプタクル６ａから同時に引き外れて電源側，負荷側との間が断路する。
上記の説明から明らかなように、図示実施例の配線構造では左右に並べて盤内のユニット収納フレーム３に収容した各機能ユニット２を運転位置，断路位置に移動するだけの操作で、電源側，負荷側給電線との接続，断路を簡単に行うことができる。また、電源側の水平母線５，負荷側端子台６，および負荷側端子台６に接続したプラグイン・コネクタのレセプタクル６ａの各部品を全てユニット収納フレーム３に組み付けた上で、このユニット収納フレーム３を制御盤１の盤内に固定配置したことで配線構造がコンパクトとなり、制御盤の組立施工も手間を掛けずに短時間で簡単に行える。
【図面の簡単な説明】
【０００９】
【図１】制御盤の盤内配置を示す正面図
【図２】は図１の平面図
【図３】図１の側面図で、（ａ），（ｂ）はそれぞれ左側面図，および右側面図
【図４】図１における機能ユニットの詳細構造図で、（ａ），（ｂ）はそれぞれ機能ユニットの正面図、および内部構造を表す側面図
【図５】複数台の機能ユニットをユニット収納フレームに収容した組立状態の外形斜視図
【図６】は図５の分解斜視図
【符号の説明】
【００１０】
１    制御盤の盤フレーム
２    機能ユニット
２ｈ  電源側コンタクト
２ｉ  負荷側コンタクト
３    ユニット収納フレーム
３ａ  電源側コンタクトの挿入穴
３ｂ  ガイドレール
４    垂直母線
５    水平母線
６    負荷側端子台
６ａ  プラグイン・コネクタのレセプタクル
【図１】
2009189128.tif 000003
【図２】
2009189128.tif 000004
【図３】
2009189128.tif 000005
【図４】
2009189128.tif 000006
【図５】
2009189128.tif 000007
【図６】
2009189128.tif 000008